(57)【特許請求の範囲】
【請求項１】
現用系の伝送路と予備系の伝送路とを収容し、入側の伝送路からの信号を出側の伝送路へクロスコネクトを行うクロスコネクト装置に於いて、
前記予備系伝送路を収容して入側からの信号を出側へクロスコネクトするバイパス部と、前記現用系伝送路を収容して入側からの信号を出側へクロスコネクトするルーチング部とを設け、
前記ルーチング部の出側からの信号を前記バイパス部の入側へ伝送する第１のリンクと、前記ルーチング部の入側へ前記バイパス部の出側からの信号を伝送する第２のリンクとを設けた
ことを特徴とするクロスコネクト装置。
【請求項２】
予備光伝送路と現用光伝送路とが接続され、波長多重光信号のクロスコネクトを行うクロスコネクト装置に於いて、
前記予備光伝送路を接続し、且つ少なくとも光空間スイッチを含むバイパス部と、前記現用光伝送路を接続し、且つ少なくとも光空間スイッチを含むルーチング部とを備え、
前記ルーチング部の出側からの波長多重光信号を前記バイパス部の入側へ伝送する第１のリンクと、前記ルーチング部の入側へ前記バイパス部の出側からの波長多重光信号を伝送する第２のリンクとを含むコネクションリンクを設けた
ことを特徴とするクロスコネクト装置。
【請求項３】
前記ルーチング部と前記バイパス部と前記コネクションリンクとを含み、前記ルーチング部の入側と出側との間にインタフェースリンクを介して接続した電気クロスコネクト装置を設けたことを特徴とする請求項２記載のクロスコネクト装置。
【請求項４】
前記ルーチング部は、波長多重光信号を分岐する光カプラと、波長分離を行う光フィルタと、該光フィルタの出力光信号の出側を選択する光空間スイッチと、該光空間スイッチの出力光信号の波長変換を行う波長変換器と、該波長変換器の出力光信号を多重化して波長多重光信号とする光カプラとを備え、波長毎のルーチングを行う構成としたことを特徴とする請求項２又は３記載のクロスコネクト装置。
【請求項５】
前記バイパス部は、光空間スイッチを備え、入側と出側との予備光伝送路の間、又は前記入側又は出側の予備光伝送路と、前記ルーチング部との間を、交差接続したコネクションリンクを介して接続する構成を備えたことを特徴とする請求項２又は３又は４記載のクロスコネクト装置。
【請求項６】
前記バイパス部は、波長多重光信号を分岐する光カプラと、波長分離する光フィルタと、該光フィルタの出力光信号のルーチングを行う光空間スイッチと、該光空間スイッチの出力光信号を波長多重光信号とする光カプラとを備え、入側と出側との予備光伝送路の間を波長毎にルーチングし、或いは、前記入側又は出側の予備光伝送路と、前記ルーチング部との間を前記コネクションリンクを介して接続し、波長毎のルーチングを行う構成としたことを特徴とする請求項２又は３又は４記載のクロスコネクト装置。
【請求項７】
前記バイパス部は、波長多重光信号を分岐する光カプラと、波長分離する光フィルタと、該光フィルタの出力光信号のルーチングを行う光空間スイッチと、該光空間スイッチの出力光信号の波長変換を行う波長変換器と、該波長変換器の出力光信号を多重化して波長多重光信号とする光カプラとを備え、入側と出側との予備光伝送路の間を波長毎にルーチングし、或いは、前記入側又は出側の予備光伝送路と、前記ルーチング部との間を前記コネクションリンクを介して接続し、波長毎のルーチングを行う構成としたことを特徴とする請求項２又は３又は４記載のクロスコネクト装置。
【請求項８】
前記バイパス部は、入側の予備光伝送路を接続した第１の光空間スイッチと、出側の予備光伝送路を接続した第２の光空間スイッチと、前記第１の光空間スイッチの出側と前記第２の光空間スイッチの入側との間を接続するバイパスリンクと、前記第１の光空間スイッチの出側とルーチング部の入側との間及び前記第２の光空間スイッチの入側と前記ルーチング部の出側との間をそれぞれ接続するコネクションリンクとを備えたことを特徴とする請求項２記載のクロスコネクト装置。
【請求項９】
前記バイパス部は、波長多重光信号を分岐する光カプラと、波長分離する光フィルタと、該光フィルタにより分離された波長対応の光信号を入力する第１の光空間スイッチと、該第１の光空間スイッチの出力光信号を合波して前記バイパスリンク及びコネクションリンクに送出する光カプラと、前記バイパスリンクを介して入力された波長多重光信号及び前記コネクションリンクを介して入力された波長多重光信号を分岐する光カプラと、波長分離する光フィルタと、該光フィルタにより分離された波長対応の光信号を入力する第２の光空間スイッチと、該第２の光空間スイッチの出力光信号を合波して予備光伝送路に送出する光カプラとを備えたことを特徴とする請求項２又は８記載のクロスコネクト装置。
【請求項１０】
前記バイパス部は、前記第１の光空間スイッチの出側に接続した波長変換器と、前記第２の光空間スイッチの出側に接続した波長変換器とを備えたことを特徴とする請求項２又は９記載のクロスコネクト装置。
【請求項１１】
前記バイパス部は、入側に予備光伝送路を接続した第１の光空間スイッチと、出側に予備光伝送路を接続した第２の光空間スイッチとを備え、前記ルーチング部は、入側に、現用光伝送路と、前記電気クロスコネクト装置の出側との間のインタフェースリンクと、前記バイパス部の前記第１の光空間スイッチの出側との間のコネクションリンクとを接続し、出側に、現用光伝送路と、前記電気クロスコネクト装置の入側との間のインタフェースリンクと、前記バイパス部の前記第２の光空間スイッチの入側との間のコネクションリンクとを接続し、且つ入力された波長多重光信号を分岐する光カプラと、波長分離を行う光フィルタと、該光フィルタの出力光信号の出側を選択する光空間スイッチと、該光空間スイッチの出力光信号の波長変換を行う波長変換器と、該波長変換器の出力光信号を多重化して波長多重光信号とする光カプラとを備えたことを特徴とする請求項２又は９又は１０記載のクロスコネクト装置。
【発明の詳細な説明】
【０００１】
【発明の属する技術分野】
本発明は、光ネットワーク等のネットワークに於けるクロスコネクト装置に関する。
情報の高速且つ大容量の伝送を光技術を適用して行う光伝送システムが開発されており、更に多重度を上げて経済化を図る為に、波長多重化が行われている。従って、光伝送路の障害による影響が大きくなり、迂回路を確保することが必要となる。又光クロスコネクト装置は、波長多重光信号に対しても、波長対応にパス切替えを可能としており、予備光伝送路によるパス切替えを効率良く行うことが要望されている。
【０００２】
【従来の技術】
図２６は光ネットワークの説明図であり、１５１は光クロスコネクト装置（ＯＸＣ）、１５２は波長多重光伝送路、１５３は電気クロスコネクト装置（ＥＸＣ）、１５４は交換機（ＳＷ）、１５５は電気信号或いは光信号の伝送路を示す。光伝送路１５２は、現用光伝送路と予備光伝送路とから構成されている。
【０００３】
光クロスコネクト装置１５１は、光伝送路１５２間の波長多重光信号を、波長λ１  ，λ２  ，λ３  ，・・・対応に設定した出方路を選択するものである。この場合、波長を変換しないＷＰ（Ｗａｖｅｌｅｎｇｔｈ  Ｐａｔｈ  ）網と、必要に応じて波長を変換するＶＷＰ（ＶｉｒｔｕａｌＷａｖｅｌｅｎｇｔｈ  Ｐａｔｈ  ）網とに分類できる。又電気クロスコネクト装置１５３を介した信号を含めて波長多重化する。又自ノード宛の光信号について、電気クロスコネクト装置１５３側に分岐する。又電気クロスコネクト装置１５３と交換機１５４とは、それぞれ論理パスＶＰ（Ｖｉｒｔｕａｌ  Ｐａｔｈ  ）と論理チャネルＶＣ（Ｖｉｒｔｕａｌ  Ｃｈａｎｎｅｌ）単位でスイッチングを行う構成を備えている。
【０００４】
図２７は従来例の説明図であり、光クロスコネクト装置（ＯＸＣ）１５１は、波長λ１  〜λｎ  を多重化した波長多重光信号を伝送する複数の現用光伝送路（ｋ１）と、波長λ１  〜λｍ  を多重化した波長多重光信号を伝送する複数の予備光伝送路（ｋ２）と、電気クロスコネクト装置（ＥＸＣ）１５３との間の波長λ１  〜λｉ  を多重化した波長多重光信号を伝送する複数のインタフェースリンクｋ３とを収容している。
【０００５】
図２８は従来例の光クロスコネクト装置の説明図であり、波長多重光信号を分岐する光カプラ１６１と、波長分離する為のそれぞれ通過波長が異なる光フィルタ１６２と、光空間スイッチ１６３と、所望の波長に変換する波長変換器１６４と、波長多重化する光カプラ１６５とを備えている。前述のＷＰ網に於いては、波長変換器１６４を省略した構成とするものである。又波長多重光信号は、光カプラ１６１により多重度に対応して分岐され、波長λ１  〜λｎ  ，λ１  〜λｍ  ，λ１  〜λｉ  対応の光フィルタ１６２によって波長分離され、光空間スイッチ１６３に入力される。
【０００６】
光空間スイッチ１６３は、例えば、２×２の光スイッチを複数組合せて構成することができるものであり、図示を省略した制御部からの制御によってクロスポイントの光スイッチを制御し、例えば、鎖線で概略を示すパスを形成する。又前述のＶＷＰ網に於いて、入側の波長と異なる出側の波長として多重化する場合は、波長変換器１６４によってその出側の波長に変換する。又電気クロスコネクト装置との間のインタフェースリンクｋ３と現用光伝送路ｋ１との間を波長対応に接続する。その場合も、波長が異なる時は波長変換器１６４によって波長変換を行う。
【０００７】
【発明が解決しようとする課題】
光伝送路に障害が発生すると、その障害個所を回避する迂回路を介して波長多重光信号を伝送するように、光クロスコネクト装置１５１に於いて切替えが行われる。その場合、予備光伝送路の空きの部分を用いることになる。それによって、光ネットワークのノード間の波長多重光信号の伝送が継続されるから、光ネットワークの信頼性を向上することができる。同様に、電気信号により伝送するネットワークに於いても、現用系伝送路と予備系伝送路とを設け、且つクロスコネクト装置により入側と出側とのクロスコネクトを行うことになる。
【０００８】
例えば、図２８に於いて、出側の現用光伝送路ｋ１に障害が発生すると、入側の現用光伝送路ｋ１と入側の電気クロスコネクト装置との間のインタフェースリンクｋ３とを、出側の予備光伝送路ｋ２に切替えるように、光空間スイッチ１６３を制御することになる。その場合、現用光伝送路ｋ１及びインタフェースリンクｋ３が総て使用中でなくても使用可能性を有するから、光空間スイッチ１６３は、ノンブロッキングで切替えを行う構成であることが必要となる。従って、光空間スイッチ１６３のハード規模が大きくなるから、経済的な問題があった。
本発明は、経済的なクロスコネクト装置を提供することを目的とする。
【０００９】
【課題を解決するための手段】
本発明のクロスコネクト装置は、（１）現用系の伝送路と予備系の伝送路とを収容し、入側の伝送路からの信号を出側の伝送路へクロスコネクトを行うクロスコネクト装置に於いて、予備系伝送路を収容して入側からの信号を出側へクロスコネクトするバイパス部２と、現用系伝送路を収容して入側からの信号を出側へクロスコネクトするルーチング部１とを設け、ルーチング部１の出側からの信号をバイパス部２の入側へ伝送する第１のリンクと、ルーチング部１の入側へバイパス部２の出側からの信号を伝送する第２のリンクとを設けて構成する。
【００１０】
又（２）予備光伝送路ｋ２と現用光伝送路ｋ１とが接続され、波長多重光信号のクロスコネクトを行うクロスコネクト装置に於いて、予備光伝送路ｋ２を接続し、且つ少なくとも光空間スイッチを含むバイパス部２と、現用光伝送路ｋ１を接続し、且つ少なくとも光空間スイッチを含むルーチング部１とを備え、ルーチング部１の出側からの波長多重光信号をバイパス部２の入側へ伝送する第１のリンクと、ルーチング部１の入側へバイパス部２の出側からの波長多重光信号を伝送する第２のリンクとを含むコネクションリンクｋ４を設けた構成とする。
【００１１】
又（３）ルーチング部１とバイパス部２とコネクションリンクｋ４とを含み、ルーチング部１の入側と出側との間にインタフェースリンクｋ３を介して接続した電気クロスコネクト装置（ＥＸＣ）３を設けた構成とする。
【００１２】
又（４）ルーチング部１は、波長多重光信号を分岐する光カプラと、波長分離を行う光フィルタと、この光フィルタの出力光信号の出側を選択する光空間スイッチと、この光空間スイッチの出力光信号の波長変換を行う波長変換器と、この波長変換器の出力光信号を多重化して波長多重光信号とする光カプラとを備えている。
【００１３】
又（５）バイパス部２は、光空間スイッチを備え、入側と出側との予備光伝送路ｋ２間を接続したり、或いは、入側又は出側の予備光伝送路ｋ２と、ルーチング部１との間をコネクションリンクｋ４を介して接続する構成を備えることができる。
【００１４】
又（６）バイパス部２は、波長多重光信号を分岐する光カプラと、波長分離する光フィルタと、この光フィルタの出力光信号のルーチングを行う光空間スイッチと、この光空間スイッチの出力光信号を波長多重光信号とする光カプラとを備え、入側と出側との予備光伝送路ｋ２の間を波長毎にルーチングしたり、或いは、入側又は出側の予備光伝送路ｋ２と、ルーチング部１との間をコネクションリンクｋ４を介して接続し、波長毎のルーチングを行う構成とすることができる。
【００１５】
又（７）バイパス部２は、波長多重光信号を分岐する光カプラと、波長分離する光フィルタと、この光フィルタの出力光信号のルーチングを行う光空間スイッチと、この光空間スイッチの出力光信号の波長変換を行う波長変換器と、この波長変換器の出力光信号を多重化して波長多重光信号とする光カプラとを備え、入側と出側との予備光伝送路ｋ２の間を波長毎にルーチングしたり、或いは、入側又は出側の予備光伝送路ｋ２と、ルーチング部１との間をコネクションリンクｋ４を介して接続し、波長毎のルーチングを行う構成とすることができる。
【００１６】
又図１２を参照すると、（８）バイパス部５２は、入側の予備光伝送路ｋ２を接続した第１の光空間スイッチ５４と、出側の予備光伝送路ｋ２を接続した第２の光空間スイッチ５５と、第１の光空間スイッチ５４の出側と第２の光空間スイッチ５５の入側との間を接続するバイパスリンクｋ５と、第１の光空間スイッチ５４の出側とルーチング部５１の入側との間及び第２の光空間スイッチ５５の入側とルーチング部の出側との間をそれぞれ接続するコネクションリンクｋ４とを備えている。
【００１７】
又（９）バイパス部５２は、波長多重光信号を分岐する光カプラと、波長分離する光フィルタと、この光フィルタにより分離された波長対応の光信号を入力する第１の光空間スイッチと、この第１の光空間スイッチの出力光信号を合波してバイパスリンクｋ５及びコネクションリンクｋ４に送出する光カプラと、バイパスリンクｋ５を介して入力された波長多重光信号及びコネクションリンクｋ４を介して入力された波長多重光信号を分岐する光カプラと、波長分離する光フィルタと、光フィルタにより分離された波長対応の光信号を入力する第２の光空間スイッチと、第２の光空間スイッチの出力光信号を合波して予備光伝送路に送出する光カプラとを備えている。
【００１８】
又（１０）バイパス部５２は、第１の光空間スイッチ５４の出側に接続した波長変換器と、第２の光空間スイッチの出側に接続した波長変換器とを備えることができる。
【００１９】
又（１１）バイパス部５２は、入側に予備光伝送路ｋ２を接続した第１の光空間スイッチ５４と、出側に予備光伝送路ｋ２を接続した第２の光空間スイッチ５５とを備え、ルーチング部５１は、入側に、現用光伝送路ｋ１と、電気クロスコネト装置５３の出側との間のインタフェースリンクｋ３と、バイパス部５２の第１の光空間スイッチ５４の出側との間のコネクションリンクｋ４とを接続し、出側に、現用光伝送路ｋ１と、電気クロスコネクト装置５３の入側との間のインタフェースリンクｋ３と、バイパス部５２の第２の光空間スイッチ５５の入側との間のコネクションリンクｋ４とを接続し、且つ入力された波長多重光信号を分岐する光カプラと、波長分離を行う光フィルタと、該光フィルタの出力光信号の出側を選択する光空間スイッチと、該光空間スイッチの出力光信号の波長変換を行う波長変換器と、該波長変換器の出力光信号を多重化して波長多重光信号とする光カプラとを備えている。
【００２０】
【実施の形態】
図１は本発明の第１の実施例の説明図であり、ＯＸＣは光クロスコネクト装置、１はルーチング部、２はバイパス部、３は電気クロスコネクト装置（ＥＸＣ）、ｋ１は現用光伝送路、ｋ２は予備光伝送路、ｋ３は電気クロスコネクト装置３との間のインタフェースリンク、ｋ４はルーチング部１とバイパス部２との間を接続したコネクションリンクを示す。
【００２１】
又現用光伝送路ｋ１は、波長λ１  〜λｎ  の波長多重光信号を伝送する複数の光伝送路により構成され、又予備光伝送路ｋ２は、波長λ１  〜λｍ  の波長多重光信号を伝送する複数の光伝送路により構成された場合を示す。又インタフェースリンクｋ３は、波長λ１  〜λｉ  の波長多重光信号を伝送し、インタフェースリンクｋ４は、波長λ１  〜λｊ  の波長多重光信号を伝送する場合を示す。
【００２２】
又ルーチング部１及びバイパス部２は、光空間スイッチを含み、コネクションリンクｋ４により交差接続されている。又電気クロスコネクト装置３は、図示を省略した交換機と接続され、電気信号によってＶＰ，ＶＣの単位でクロスコネクトを行うものであり、又光クロスコネクト装置ＯＸＣとの間は、波長多重光信号を伝送するインタフェースリンクｋ３を介して接続され、ルーチング部１により分岐された波長多重光信号を電気信号に変換して、宛先の交換機へ送出し、又交換機からの多重化信号を波長多重光信号に変換して、インタフェースリンクｋ３を介してルーチング部１へ伝送する。
【００２３】
現用光伝送路ｋ１は、同時に総て障害となる場合は殆どなく、従って、予備光伝送路ｋ２は現用光伝送路ｋ１の本数より少なくすることができる。なお、光ネットワークの構成に対応して、他のノードの迂回路として利用する場合も考慮すると、現用光伝送路ｋ１の本数と同一とすることができる。又コネクションリンクｋ４は、現用光伝送路ｋ１と予備光伝送路ｋ２との本数に比較して更に少なくすることができる。又インタフェースリンクｋ３は電気クロスコネクト装置３の容量に対応した本数に選定することになる。
【００２４】
バイパス部２は、入側と出側との予備光伝送路ｋ２間を接続し、ルーチング部１は、インタフェースリンクｋ３からの波長多重光信号の波長毎のルーチングを行い、又波長分離によるルーチングによってインタフェースリンクｋ３を介して電気クロスコネクト装置３へ送出し、且つ入側と出側との現用光伝送路ｋ１間の波長毎のルーチングを行う。
【００２５】
障害発生時、例えば、出側の現用光伝送路ｋ１の障害発生により、ルーチング部１は、その出側の現用光伝送路ｋ１に送出していた波長多重光信号を、コネクションリンクｋ４を介してバイパス部２に伝送するように切替接続する。バイパス部２は、このコネクションリンクｋ４を介して入力された波長多重光信号を予備光伝送路ｋ２へ送出するように切替える。
【００２６】
又入側の現用光伝送路ｋ１の障害発生により、前位ノードから予備光伝送路ｋ２を介して伝送された波長多重光信号を、バイパス部２は、コネクションリンクｋ４を介してルーチング部１へ伝送する。ルーチング部１は、入側の現用光伝送路ｋ１を介して入力された波長多重光信号の場合と同様に、コネクションリンクｋ４を介して入力された波長多重光信号を波長毎にルーチングを行って、出側の現用光伝送路ｋ１に送出する。
【００２７】
従って、ルーチング部１は、現用光伝送路ｋ１と、インタフェースリンクｋ３と、僅かな本数のコネクションリンクｋ４とを収容した構成とし、又バイパス部２は、予備光伝送路ｋ２と、僅かな本数のコネクションリンクｋ４とを収容することにより、現用光伝送路ｋ１の障害発生の場合、予備光伝送路ｋ２に切替えて、波長多重光信号の伝送を継続することができる。その場合、ルーチング部１とバイパス部２とを含めて、従来例のノンブロッキングの構成に比較して、経済化を図ることができる。
【００２８】
又ルーチング部１とバイパス部２とをそれぞれ電気信号による空間スイッチ等を含む構成とし、ｋ１を電気信号による現用系伝送路、ｋ２を電気信号による予備系伝送路とし、ｋ３を電気信号によるインタフェースリンクとし、又ｋ４を、ルーチング部１の出側からの信号をバイパス部２の入側へ伝送する第１のリンクと、ルーチング部１の入側へバイパス部２の出側からの信号を伝送する第２のリンクとすることができる。
【００２９】
図２はパス切替方式の説明図であり、▲１▼〜▲７▼は光クロスコネクト装置を示し、（ａ）は正常時、（ｂ）〜（ｄ）は障害発生時の説明図であり、光ネットワークのノードに対応する光クロスコネクト装置▲１▼〜▲７▼間の実線は現用光伝送路、点線は予備光伝送路を示す。又光クロスコネクト装置▲１▼から光クロスコネクト装置▲７▼，▲５▼，▲６▼にそれぞれ波長λ１  ，λ２  ，λ３  の光信号ａ，ｂ，ｃを伝送する場合を示す。
【００３０】
正常時は、ＷＰ網又は波長を変換しないですむ場合のＶＷＰ網に於いて、（ａ）に示すように、波長λ１  ，λ２  ，λ３  の光信号ａ，ｂ，ｃを波長多重光信号として、光クロスコネクト装置▲１▼から光クロスコネクト装置▲４▼を経由し、光クロスコネクト装置▲６▼へ波長λ３  の光信号ｃを伝送し、光クロスコネクト装置▲７▼へ波長λ１  ，λ２  の光信号ａ，ｂを伝送し、更に光クロスコネクト装置▲７▼を経由して光クロスコネクト装置▲５▼へ波長λ２  の光信号ｂを、実線矢印で示すように、現用光伝送路を介して伝送する。
【００３１】
光クロスコネクト装置▲１▼，▲４▼間の現用光伝送路に障害が発生した場合、（ｂ），（ｃ），（ｄ）に示す何れかのパス切替えを行うことができる。この（ｂ）の方式をタイプＡ、（ｃ）の方式をタイプＢ、（ｄ）の方式をタイプＣとして、以下説明する。
【００３２】
図２の（ｂ）に示すタイプＡは、光クロスコネクト装置▲１▼，▲４▼間の障害が発生した現用光伝送路を迂回するように、光クロスコネクト装置▲３▼を介した予備光伝送路を利用する。即ち、光クロスコネクト装置▲１▼は、障害が発生した現用光伝送路について、ルーチング部１とバイパス部２（図１参照）を制御し、障害発生現用光伝送路に送出する波長多重光信号を、予備光伝送路に送出するように切替える。光クロスコネクト装置▲３▼は、光クロスコネクト装置▲１▼との間の予備光伝送路と、光クロスコネクト装置▲４▼との間の予備光伝送路との間をバイパス部２（図１参照）により接続する。従って、点線矢印の経路で波長λ１  ，λ２  ，λ３  の光信号ａ，ｂ，ｃを多重化した波長多重光信号を、光クロスコネクト装置▲３▼を介した迂回路を経由して伝送することができる。
【００３３】
又図２の（ｃ）に示すタイプＢは、光クロスコネクト装置▲１▼，▲４▼間の現用光伝送路に障害が発生した場合、光クロスコネクト装置▲１▼は、波長λ１  ，λ２  の光信号ａ，ｂを、光クロスコネクト装置▲３▼側の予備光伝送路に送出し、又波長λ３  の光信号ｃを分離して光クロスコネクト装置▲２▼側の予備光伝送路に送出する。それにより、光クロスコネクト装置▲３▼は、波長λ１  の光信号ａを、光クロスコネクト装置▲７▼側の予備光伝送路に送出し、又波長λ２  の光信号ｂを、光クロスコネクト装置▲５▼側の予備光伝送路に送出する。又光クロスコネクト装置▲２▼は、波長λ３  の光信号ｃを、光クロスコネクト装置▲６▼側の予備光伝送路に送出する。即ち、光信号ａ，ｂ，ｃは、それぞれの波長λ１  ，λ２  ，λ３  の状態で予備光伝送路を介して宛先へ伝送することができる。
【００３４】
又図２の（ｄ）に示すタイプＣは、光クロスコネクト装置▲１▼，▲４▼間の現用光伝送路に障害が発生すると、光クロスコネクト装置▲１▼は、波長λ１  ，λ２  の光信号ａ，ｂを、光クロスコネクト装置▲３▼側の予備光伝送路に送出し、この予備光伝送路及び光クロスコネクト装置▲２▼側に波長λ３  の空きがない場合、この波長λ３  の光信号ｃを、波長λ１  に変換して、光クロスコネクト装置▲２▼側の予備光伝送路に送出する。又光クロスコネクト装置▲３▼は、波長λ１  の光信号ａを、光クロスコネクト装置▲７▼側の予備光伝送路に送出し、又光クロスコネクト装置▲５▼側に波長λ２  の空きがない場合、波長λ２  の光信号ｂを波長λ１  に変換して、光クロスコネクト装置▲５▼側の予備光伝送路に送出する。即ち、光クロスコネクト装置に於いては、予備光伝送路の空き波長を利用して迂回路を形成することができる。
【００３５】
図３は本発明の第１の実施例のルーチング部の説明図であり、１１は波長多重光信号を分岐する光カプラ、１２は波長分離する光フィルタ、１３は光空間スイッチ、１４は波長変換器、１５は波長多重化する光カプラである。
【００３６】
光空間スイッチ１３は、例えば、２×２の光スイッチを複数組合せて構成したもので、波長λ１  〜λｊ  の光信号を波長多重化した波長多重光信号を伝送するコネクションリンクｋ４と、波長λ１  〜λｎ  の光信号を波長多重化した波長多重光信号を伝送する現用光伝送路ｋ１と、波長λ１  〜λｉ  の光信号を波長多重化した波長多重光信号を伝送するインタフェースリンクｋ３とを収容し、波長毎のルーチングを行うものである。
【００３７】
例えば、光空間スイッチ１３の点線で示すパスが形成された場合、インタフェースリンクｋ３の波長λ１  の光信号は、光カプラ１１により分岐され、光フィルタ１２により波長対応に分離され、パスを介して現用光伝送路ｋ１の波長変換器１４に転送され、波長λ１  から波長λｎ  に変換されて光カプラ１５により波長多重化され、現用光伝送路ｋ１に波長多重光信号として送出される。
【００３８】
図４は本発明の第１の実施例の光空間スイッチによるバイパス部の説明図であり、２１は光空間スイッチ２１であり、前述のタイプＡのパス切替方式に適用するものである。迂回路に相当する光クロスコネクト装置に於けるバイパス部は、入側の予備光伝送路ｋ２を介して伝送された波長λ１  〜λｍ  の波長多重光信号を、波長毎に分離することなく、出側の予備光伝送路ｋ２に送出する。又現用光伝送路の障害発生の場合、例えば、コネクションリンクｋ４と予備光伝送路ｋ２とを点線で示すパスにより接続し、波長λ１  〜λｊ  の波長多重光信号を予備光伝送路ｋ２に送出する。
【００３９】
図５は本発明の第１の実施例の波長対応のパスを形成するバイパス部の説明図であり、３１は波長多重光信号を分岐する光カプラ、３２は波長分離する光フィルタ、３３は波長対応の光空間スイッチ、３４は波長多重化する光カプラを示し、前述のタイプＢのパス切替方式に適用することができる。
【００４０】
予備光伝送路ｋ２及びコネクションリンクｋ４を介して伝送された波長多重光信号は、光カプラ３１により分岐され、光フィルタ３２によって波長λ１  〜λｍ  対応に分離され、波長λ１  〜λｍ  対応の光空間スイッチ３３によって出方路選択が行われ、それぞれ異なる波長λ１  〜λｍ  の光信号が光カプラ３４により波長多重化されて、予備光伝送路ｋ２に送出され、又波長λ１  〜λｊ  の光信号が光カプラ３４により波長多重化されて、コネクションリンクｋ４に送出される。
【００４１】
図６は本発明の第１の実施例の波長変換器を有するバイパス部の説明図であり、４１は波長多重光信号を分岐する光カプラ、４２は波長分離する光フィルタ、４３は光空間スイッチ、４４は所望の波長に変換する波長変換器、４５は波長多重化する光カプラを示し、前述のタイプＣのパス切替方式に適用することができる。
【００４２】
この実施例のバイパス部は、光カプラ４１，光フィルタ４２，光空間スイッチ４３，波長変換器４４，光カプラ４５から構成され、図３に示すルーチング部と類似した構成である。光空間スイッチ４３の出側に接続した波長変換器４４により所望の波長に変換して、光カプラ４５により波長多重化するもので、入側と出側との予備光伝送路ｋ２間及び予備光伝送路ｋ２とコネクションリンクｋ４と間のパス形成の自由度が大きくなる。
【００４３】
図７は本発明の第１の実施例の現用光伝送路の障害発生時のルーチング部の説明図であり、図３と同一符号は同一部分を示す。又波長λ１  〜λ３  の光信号についてのみ示すが、更に多数の波長を多重化することができるものである。又現用光伝送路ｋ１を、ｋ１１  〜ｋ１３  の３本とし、インタフェースリンクｋ３は１本、コネクションリンクｋ４は１本の場合を示すが、それぞれ多数の本数とすることができる。
【００４４】
正常時に於いて、例えば、光空間スイッチ１３にパスＰ１〜Ｐ６が形成されたとすると、図示を省略した電気クロスコネクト装置から、波長λ１  〜λ３  の光信号ａ，ｂ，ｃが波長多重光信号として、インタフェースリンクｋ３を介して入力され、パスＰ１〜Ｐ３を介して現用光伝送路ｋ１１  に送出される。
【００４５】
又パスＰ４により入側の現用光伝送路ｋ１２  の波長λ１  の光信号は、波長変換器１４により波長λ２  に変換され、又パスＰ５により入側の現用光伝送路ｋ１２  の波長λ３  の光信号は、波長変換器１４により波長λ１  に変換され、又パスＰ６により入側の現用光伝送路ｋ１３  の波長λ１  の光信号は、波長変換器１４により波長λ３  に変換され、光カプラ１５により波長多重化され、出側の現用光伝送路ｋ１３  に送出される。
【００４６】
出側の現用光伝送路ｋ１１  に障害が発生した場合、光空間スイッチ１３のパスＰ１〜Ｐ３は、図示を省略した制御部によってパスＰ１’〜Ｐ３’に切替えられて、ルーチング部１の入側のインタフェースリンクｋ３は、出側のコネクションリンクｋ４に接続される。この場合も、実際には、コネクションリンクｋ４の多重度が大きく、出側の現用光伝送路ｋ１１  に送出する波長多重光信号をコネクションリンクｋ４に送出することが可能である。
【００４７】
図８は本発明の第１の実施例のタイプＡのバイパス部の説明図であり、光空間スイッチ２１によりバイパス部２が構成された場合で、図２の（ｂ）に示すように、光クロスコネクト装置▲１▼，▲４▼間の現用光伝送路に障害が発生し、光クロスコネクト装置▲３▼側の予備光伝送路ｋ２に切替えて波長多重光信号を送出する場合を示す。即ち、図７に示すように、ルーチング部１の光空間スイッチ１３により、パスＰ１〜Ｐ３からバスＰ１’〜Ｐ３’への切替えが行われ、コネクションリンクｋ４に送出された波長λ１  〜λ３  の光信号ａ，ｂ，ｃを含む波長多重光信号は、バイパス部２の光空間スイッチ２１に入力され、光空間スイッチ２１の実線で示すパスが形成されて、コネクションリンクｋ４と、光クロスコネクト装置▲３▼側の予備光伝送路ｋ２との間が接続される。
【００４８】
光クロスコネクト装置▲３▼に於けるバイパス部２は、光クロスコネクト装置▲１▼側の予備光伝送路ｋ２と、光クロスコネクト装置▲４▼側の予備光伝送路ｋ２との間を接続するように、光空間スイッチ２１にパスが形成される。従って、光クロスコネクト装置▲１▼，▲４▼間の現用光伝送路の障害発生時に、光クロスコネクト装置▲３▼を経由する予備光伝送路による迂回路を形成し、波長多重光信号を継続して伝送することができる。
【００４９】
図９は本発明の第１の実施例のタイプＢのバイパス部の説明図であり、光カプラ３１と光フィルタ３２と波長対応の光空間スイッチ３３と光カプラ３４とによりバイパス部２が構成された場合を示す。タイプＢは、図２の（ｃ）に示すように、光クロスコネクト装置▲１▼，▲４▼間の現用光伝送路に障害が発生し、波長λ３  の光信号ｃを光クロスコネクト装置▲２▼側の予備光伝送路に、又波長λ１  ，λ２  の光信号ａ，ｂを光クロスコネクト装置▲３▼側の予備光伝送路にそれぞれ波長対応に切替えて送出できるものである。
【００５０】
又図２の（ｃ）の光クロスコネクト装置▲１▼に於けるルーチング部１は、図７に示すように、光空間スイッチ１３によって、バスＰ１〜Ｐ３からバスＰ１’〜Ｐ３’に切替えられ、又バイパス部２は、図９の太線で示す経路により、コネクションリンクｋ４と、光クロスコネクト装置▲２▼，▲３▼側の予備光伝送路ｋ２との間が、波長対応の光空間スイッチ３３によって接続される。
【００５１】
又光クロスコネクト装置▲２▼に於けるバイパス部２は、波長λ３  の光信号ｃを、光クロスコネクト装置▲６▼側の予備光伝送路に送出するように、波長対応の光空間スイッチ３３が制御される。又光クロスコネクト装置▲３▼に於けるバイパス部２は、波長λ１  の光信号ａを、光クロスコネクト装置▲７▼側の予備光伝送路に送出し、且つ波長λ２  の光信号ｂを、光クロスコネクト装置▲５▼側の予備光伝送路に送出するように、波長対応の光空間スイッチ３３が制御される。
【００５２】
図１０は本発明の第１の実施例のタイプＣのバイパス部の説明図であり、図６と同一符号は同一部分を示す。タイプＣは、図２の（ｄ）に示すように、光クロスコネクト装置▲１▼，▲４▼間の現用光伝送路に障害が発生した場合に、予備光伝送路の選択と共に送出する波長を選択するものである。この場合、光信号ａ，ｂを光クロスコネクト装置▲３▼側の予備光伝送路に送出し、光信号ｃを光クロスコネクト装置▲２▼側の予備光伝送路に送出すると共に、その波長を変換することができるものである。
【００５３】
即ち、光クロスコネクト装置▲１▼に於いて、ルーチング部１は、光クロスコネクト装置▲４▼側の現用光伝送路の障害により、この現用光伝送路をコネクションリンクｋ４側に切替接続し、バイパス部２は、コネクションリンクｋ４からの波長多重光信号を光カプラ４１に分岐し、光フィルタ４２によって波長λ１  〜λ３  の光信号ａ，ｂ，ｃに分離し、光空間スイッチ４３により、波長λ１  ，λ２  の光信号ａ，ｂを光クロスコネクト装置▲３▼側の予備光伝送路ｋ２へ送出するようにパスＰ２１，Ｐ２２を形成する。
【００５４】
又波長λ３  の光信号ｃを光クロスコネクト装置▲２▼側の予備光伝送路ｋ２の波長λ１  として送出するようにパスＰ２３を形成し、波長変換器４４により波長λ３  の光信号ｃを波長λ１  に変換し、光カプラ４５によって波長多重化して送出する。この場合、光クロスコネクト装置▲２▼側の予備光伝送路ｋ２の波長λ３  が他の光信号として使用中であり、波長λ１  が空きであることにより、この空きの波長λ１  により光信号ｃを伝送する場合を示す。なお、波長λ２  のみが空きの場合は、波長λ３  の光信号ｃを波長λ２  に変換して伝送するように、光空間スイッチ４３のパスが形成される。
【００５５】
又光クロスコネクト装置▲２▼に於けるバイパス部２は、光クロスコネクト装置▲１▼から予備光伝送路ｋ２を介した波長λ１  の光信号ｃを、波長変換することなく、そのまま光クロスコネクト装置▲６▼側の予備光伝送路ｋ２に送出する。又光クロスコネクト装置▲３▼に於けるバイパス部２は、光クロスコネクト装置▲１▼から予備光伝送路ｋ２を介した波長λ１  ，λ２  の光信号ａ，ｂを波長分離し、波長λ１  の光信号ａを光クロスコネクト装置▲７▼側の予備光伝送路ｋ２に送出し、波長λ２  の光信号ｂを光クロスコネクト装置▲５▼側の予備光伝送路ｋ２に送出するように、選択接続する。
【００５６】
前述のタイプＡは、現用光伝送路ｋ１を一括して予備光伝送路ｋ２に切替えるから、構成及び制御が簡単となる利点がある。その場合、予備光伝送路ｋ２が空きであることが必要である。又タイプＢは、現用光伝送路ｋ１の中の波長対応に出方路を選択するものであるから、予備光伝送路ｋ２の空き状態に対応して、現用光伝送路ｋ１による光信号を迂回伝送することができる利点がある。又タイプＣは、予備光伝送路ｋ２の空き波長を利用し、その空き波長に迂回伝送する光信号の波長を変換することができるから、空き波長選択等の制御が必要となるが、ＶＷＰ網に適用することができ、最も自由度が大きいシステムを構築できる利点がある。
【００５７】
図１１は本発明の第１の実施例の構成比較説明図であり、従来例と、本発明の第１の実施例のタイプＡ，Ｂ，Ｃとについて、光フィルタの個数と、波長変換器の個数と、光空間スイッチを構成する２×２の光スイッチの個数とを示すものである。（Ａ）は、係数ｎ，ｍ，ｉ，ｊと、現用光伝送路の本数ｋ１と、予備光伝送路の本数ｋ２と、インタフェースリンクの本数ｋ３と、コネクションリンクの本数ｋ４とによる、光フィルタと波長変換器と光空間スイッチを構成する２×２の光スイッチとのそれぞれの個数とを数式として示す。
【００５８】
又（Ｂ）は、ｎ＝ｍ＝ｉ＝ｊ＝４とし、ｋ１＝４，ｋ２＝４，ｋ３＝１，ｋ４＝１とした場合を示し、現用光伝送路が４本の場合、一次障害を救済できれば充分であるから、コネクションリンクは１本とした場合を示す。この場合、従来例の光空間スイッチを構成する光スイッチは１２９６個必要とするが、本発明に於いては、ルーチング部の光空間スイッチを構成する光スイッチは５７６個、バイパス部の光空間スイッチを構成する光スイッチは、タイプＡでは２５個、タイプＢでは１００個、タイプＣでは４００個となる。
【００５９】
又（Ｃ）は、ｎ＝ｍ＝ｉ＝ｊ＝８とし、ｋ１＝８，ｋ２＝８，ｋ３＝２，ｋ４＝２とした場合を示し、現用光伝送路が（Ｂ）の場合の２倍の８本の場合、コネクションリンクも２倍の２本とした場合を示す。即ち、８本の現用光伝送路が２本同時的に障害が発生した場合でも救済できる構成とした場合を示す。この場合の従来例の光スイッチは２０７３６個必要とするが、本発明に於いては、ルーチング部としての光スイッチは９２１６個、バイパス部として光スイッチは、タイプＡでは１００個、タイプＢでは８００個、タイプＣでは６４００個となる。
【００６０】
従来例と本発明の第１の実施例とを光スイッチの所要個数で比較すると、タイプＡ，Ｂでは約４４％〜５２％に減少し、タイプＣでは約７５％に減少できる。なお、光フィルタと波長変換器との必要個数が従来例に比較して約２０％増加するだけであり、光クロスコネクト装置の規模を従来例に比較して小さくすることができる。
【００６１】
図１２は本発明の第２の実施例の説明図であり、ＯＸＣは光クロスコネクト装置、５１はルーチング部、５２はバイパス部、５３は電気クロスコネクト装置（ＥＸＣ）、５４，５５は第１，第２の光空間スイッチ、ｋ１は現用光伝送路、ｋ２は予備光伝送路、ｋ３は電気クロスコネクト装置５３との間のインタフェースリンク、ｋ４はルーチング部５１とバイパス部５２の第１の光空間スイッチ５４の出側及び第２の光空間スイッチ５５の入側との間を接続したコネクションリンク、ｋ５は第１，第２の光空間スイッチ５４，５５間を接続したバイパスリンクを示す。
【００６２】
ルーチング部５１及び電気クロスコネクト装置５３は、前述の実施例と同様な構成を有するものであり、又通常は現用光伝送路ｋ１が同時に障害となることがないものであるから、予備光伝送路ｋ２，コネクションリンクｋ４及びバイパスリンクｋ５の本数は少なくて済むものである。従って、バイパス部５２の構成は更に簡単となる。
【００６３】
図１３はパス切替方式の説明図であり、図２に対応した構成を示し、▲１▼〜▲７▼は光クロスコネクト装置である。又（ａ）は正常時、（ｂ）〜（ｄ）は障害発生時の説明図であり、光ネットワークのノードに対応する光クロスコネクト装置▲１▼〜▲７▼間の実線は現用光伝送路、点線は予備光伝送路を示す。又光クロスコネクト装置▲１▼から光クロスコネクト装置▲７▼，▲５▼，▲６▼にそれぞれ波長λ１  ，λ２  ，λ３  の光信号ａ，ｂ，ｃを伝送する場合を示す。
【００６４】
正常時は、ＷＰ網又は波長を変換しないですむ場合のＶＷＰ網に於いて、波長λ１  ，λ２  ，λ３  の光信号ａ，ｂ，ｃを波長多重光信号として、光クロスコネクト装置▲１▼から光クロスコネクト装置▲４▼を経由し、光クロスコネクト装置▲６▼へ波長λ３  の光信号ｃを伝送し、光クロスコネクト装置▲７▼へ波長λ１  ，λ２  の光信号ａ，ｂを伝送し、更に光クロスコネクト装置▲７▼を経由して光クロスコネクト装置▲５▼へ波長λ２  の光信号ｂを、実線矢印で示すように、現用光伝送路を介して伝送する。
【００６５】
又ＶＷＰ網に於いて、波長変換する場合は、例えば、光クロスコネクト装置▲４▼に於いて、波長λ３  →λｉ  、λ１  →λｋ  、λ２  →λｈ  に変換して光信号ａ，ｂ，ｃを送出し、又光クロスコネクト装置▲７▼に於いて、波長λ２  →λｊ  に変換して光信号ｂを送出することができる。
【００６６】
前述の（ａ）に示す構成に於いて、光クロスコネクト装置▲１▼，▲４▼間の現用光伝送路に障害が発生した場合、（ｂ），（ｃ），（ｄ）に示すように、パス切替えを行うことができる。前述の図２の場合と同様に、（ｂ）の方式をタイプＡ、（ｃ）の方式をタイプＢ、（ｄ）の方式をタイプＣとして、以下説明する。
【００６７】
（ｂ）のタイプＡは、ＷＰ網又は波長変換を行わないＶＷＰ網に適用できるものであり、光クロスコネクト装置▲１▼，▲４▼間の障害が発生した現用光伝送路を迂回するように、光クロスコネクト装置▲３▼を介した予備光伝送路を利用する。即ち、光クロスコネクト装置▲１▼は、障害が発生した現用光伝送路について、ルーチング部５１とバイパス部５２（図１２参照）を制御し、障害発生現用光伝送路に送出する波長多重光信号を、コネクションリンクｋ４を介して予備光伝送路ｋ２に送出するように切替える。
【００６８】
予備光伝送路を介して接続された光クロスコネクト装置▲３▼は、光クロスコネクト装置▲１▼との間の予備光伝送路ｋ２と、光クロスコネクト装置▲４▼との間の予備光伝送路ｋ２との間をバイパス部５２（図１２参照）のバイパスリンクｋ５を介して接続する。或いは、予備光伝送路ｋ２からバイパス部５２の光空間スイッチ５４→コネクションリンクｋ４→ルーチング部５１→現用光伝送路ｋ１の経路で、予備光伝送路ｋ２から現用光伝送路ｋ１を介して伝送することができる。従って、点線矢印の経路で、波長λ１  ，λ２  ，λ３  の光信号ａ，ｂ，ｃを多重化した波長多重光信号を、光クロスコネクト装置▲３▼を介した迂回路を経由して伝送することができる。
【００６９】
又（ｃ）のタイプＢは、タイプＡと同様に、ＷＰ網又は波長変換を行わないＶＷＰ網に適用できるものであるが、波長対応に分離できる機能を備えた場合であり、光クロスコネクト装置▲１▼，▲４▼間の現用光伝送路に障害が発生すると、光クロスコネクト装置▲１▼は、波長対応に分離して、波長λ１  ，λ２  の光信号ａ，ｂを光クロスコネクト装置▲３▼側の予備光伝送路ｋ２に送出し、又波長λ３  の光信号ｃを光クロスコネクト装置▲２▼側の予備光伝送路ｋ２に送出する。
【００７０】
それにより、光クロスコネクト装置▲３▼は、波長λ１  の光信号ａを、光クロスコネクト装置▲７▼側の予備光伝送路に送出し、又波長λ２  の光信号ｂを、光クロスコネクト装置▲５▼側の予備光伝送路に送出する。又光クロスコネクト装置▲２▼は、波長λ３  の光信号ｃを、光クロスコネクト装置▲６▼側の予備光伝送路ｋ２に送出する。即ち、光信号ａ，ｂ，ｃは、それぞれの波長λ１  ，λ２  ，λ３  の状態で予備光伝送路ｋ２を介して宛先へ伝送することができる。
【００７１】
又（ｄ）のタイプＣは、波長変換機能を備えたＶＷＰ網に適用できるものであり、光クロスコネクト装置▲１▼，▲４▼間の現用光伝送路に障害が発生すると、光クロスコネクト装置▲１▼は、波長λ１  ，λ２  の光信号ａ，ｂを、光クロスコネクト装置▲３▼側の予備光伝送路に送出し、この予備光伝送路及び光クロスコネクト装置▲２▼側に波長λ３  の空きがない場合、この波長λ３  の光信号ｃを、波長λ１  に変換して、光クロスコネクト装置▲２▼側の予備光伝送路に送出する。
【００７２】
又光クロスコネクト装置▲３▼は、波長λ１  の光信号ａを、光クロスコネクト装置▲７▼側の予備光伝送路に送出し、又光クロスコネクト装置▲５▼側に波長λ２  の空きがない場合、波長λ２  の光信号ｂを波長λ１  に変換して、光クロスコネクト装置▲５▼側の予備光伝送路に送出する。即ち、光クロスコネクト装置に於いては、予備光伝送路の空き波長を利用して迂回路を形成することができる。
【００７３】
図１４は本発明の第２の実施例のＷＰ網の場合のルーチング部の説明図であり、６１は光カプラ、６２は光フィルタ、６３は光空間スイッチ、６４は光カプラである。コネクションリンクｋ４と、現用光伝送路ｋ１と、インタフェースリンクｋ３とのそれぞれ相互間の接続を行うものであり、入出力側を（ｋ４＋ｋ１＋ｋ３）として示している。
【００７４】
波長λ１  〜λｎ  の波長多重光信号は、光カプラ６１により分岐されて光フィルタ６２により波長λ１  〜λｎ  対応に分波され、波長対応の光空間スイッチ６３により出方路選択が行われ、選択された出方路側の光カプラ６４に入力されて合波され、波長多重光信号として送出される。
【００７５】
図１５は本発明の第２の実施例のＶＷＰ網の場合のルーチング部の説明図であり、７１は光カプラ、７２は光フィルタ、７３は光空間フィルタ、７４は波長変換器、７５は光カプラである。図１４のルーチング部に対して、出方路側の光カプラの前段に波長変換器を設け、同一出方路側に同一波長の光信号が送出されないように、波長変換器７４によって波長を変換する。
【００７６】
図１６は本発明の第２の実施例のタイプＡのバイパス部の説明図であり、５４，５５は第１，第２の光空間スイッチで、図１２に示す場合と同様に、予備伝送路ｋ２と接続され、第１，第２の光空間スイッチ５４，５５間はバイパスリンクｋ５を介して接続され、又第１の光空間スイッチ５４の出側とルーチング部５１の入側との間及び第２の光空間スイッチ５５の入側とルーチング部５１の出側との間は、コネクションリンクｋ４を介して接続されている。このタイプＡのバイパス部は、波長多重光信号の状態で予備伝送路ｋ２からバイパスリンクｋ５又はコネクションリンクｋ４との間を接続する。この場合のコネクションリンクｋ４及びバイパスリンクｋ５は、前述のように、予備伝送路ｋ２に比較して少ない本数とするものである。
【００７７】
図１７は本発明の第２の実施例のタイプＢのバイパス部の説明図であり、８１は光カプラ、８２は光フィルタ、８３は第１の光空間スイッチ、８４，８５は光カプラ、８６は光フィルタ、８７は第２の光空間スイッチ、８８は光カプラである。予備伝送路ｋ２を介して転送された波長多重光信号は、光カプラ８１により分岐され、光フィルタ８２により波長λ１  〜λｎ  対応に分波され、波長対応の光空間スイッチ８３により選択接続された光カプラ８４に加えられ、合波された波長多重光信号は、バイパスリンクｋ５を介して光カプラ８５に、又コネクションリンクｋ４を介してルーチング部に転送される。
【００７８】
又光カプラ８５により、バイパスリンクｋ５を介して転送された波長多重光信号又はコネクションリンクｋ４を介して転送された波長多重光信号が分岐され、光フィルタ８６により波長λ１  〜λｎ  対応に分波され、波長対応の光空間スイッチ８７により出方路が選択され、選択された出方路側の光カプラ８８により合波されて、予備伝送路ｋ２に送出される。
【００７９】
図１８は本発明の第２の実施例のタイプＣのバイパス部の説明図であり、９１は光カプラ、９２は光フィルタ、９３は第１の光空間スイッチ、９４は波長変換器、９５，９６は光カプラ、９７は光フィルタ、９８は第２の光空間スイッチ、９９は波長変換器、１００は光カプラである。このタイプＣのバイパス部は、図１７に示すタイプＢのバイパス部の第１，第２光空間スイッチと光カプラと間に波長変換器９４，９９を設けた構成に相当し、波長対応に予備伝送路ｋ２又はルーチング部を選択し、且つ同一波長の光信号が多重化されないように、波長変換器９４，９９により波長変換することがでる。
【００８０】
図１９は本発明の第２の実施例のＷＰ網の場合のルーチング部のパス切替説明図であり、図１４と同一符号は同一部分を示し、電気クロスコネクト装置からインタフェースリンクｋ３を介して波長λ１  〜λ３  の光信号ＷＰ１〜ＷＰ３がルーチング部に加えられた場合、波長対応の光空間スイッチ６３により現用光伝送路ｋ１側のパスが形成されるものであるが、現用光伝送路ｋ１の障害時に、光空間スイッチ６３が切替制御されて、予備光伝送路に接続されたバイパス部へのコネクションリンクｋ４との間のパスが太線で示すように形成される。
【００８１】
図２０は本発明の第２の実施例のＶＷＰ網の場合のルーチング部のパス切替説明図であり、図１５と同一符号は同一部分を示す。又前述のように、現用光伝送路ｋ１に障害が発生すると、光空間スイッチ７３は、図示のように、インタフェースリンクｋ３とコネクションリンクｋ４との間のパスを形成するように切替制御される。この場合、波長変換器７４は波長λ１  〜λ３  を変換する必要がないが、コネクションリンクｋ４側に同一波長の光信号が多重化される状態となると、波長変換器７４によりそれぞれ異なる波長となるように波長変換を行うものである。
【００８２】
図２１は本発明の第２の実施例のタイプＡのバイパス部のパス切替説明図であり、第１，第２の光空間スイッチ５４，５５により構成されたバイパス部に於いて、図１９に示すルーチング部からコネクションリンクｋ４を介して波長λ１  〜λ３  の光信号ＷＰ１〜ＷＰ３が多重化された波長多重光信号が光空間スイッチ５５に転送され、波長多重光信号の状態で予備光伝送路に送出される場合を示す。従って、図１３の（ｂ）に示すように、光クロスコネクト装置▲１▼，▲４▼間の障害発生時に、バイパス部を介して予備光伝送路に波長λ１  〜λ３  の波長多重光信号を、迂回経路に送出することができる。
【００８３】
図２２は本発明の第２の実施例のタイプＢのバイパス部のパス切替説明図であり、１１１は光カプラ、１１２は光フィルタ、１１３は第１の光空間スイッチ、１１４，１１５は光カプラ、１１６は光フィルタ、１１７は第２の光空間スイッチ、１１８は光カプラであり、図１７に示すバイパス部に相当する。
【００８４】
このタイプＢのバイパス部に於いて、図２１に示す場合と同様に、ルーチング部からコネクションリンクｋ４を介して波長λ１  〜λ３  の光信号ＷＰ１〜ＷＰ３が転送され、光カプラ１１５により分岐され、光フィルタ１１６により波長対応に分波され、波長対応の光空間スイッチ１１７により出方路が選択され、例えば、波長λ１  ，λ２  の光信号ＷＰ１，ＷＰ２とが光カプラ１１８により合波されて、同一の予備光伝送路に送出され、波長λ３  の光信号ＷＰ３は他の予備光伝送路に送出される場合を示す。それぞれの経路を太線で示している。
【００８５】
図２３は本発明の第２の実施例のタイプＣのバイパス部のパス切替説明図であり、１２１は光カプラ、１２２は光フィルタ、１２３は第１の光空間スイッチ、１２４は波長変換器、１２５，１２６は光カプラ、１２７は光フィルタ、１２８は第２の光空間スイッチ、１２９は波長変換器、１３０は光カプラを示し、図１８に示すバイパス部に相当する。
【００８６】
このタイプＣのバイパス部に於いて、図２１に示す場合と同様に、ルーチング部からコネクションリンクｋ４を対して波長λ１  〜λ３  の光信号ＷＰ１〜ＷＰ３が転送され、光カプラ１２６により分岐され、光フィルタ１２７により波長対応に分波され、光空間スイッチ１２８により出方路が選択され、例えば、波長λ１  ，λ２  の光信号ＷＰ１，ＷＰ２とが光カプラ１３０にり合波されて、同一の予備光伝送路に送出され、波長λ３  の光信号ＷＰ３は他の予備光伝送路に送出される経路を太線で示す。又波長変換器１２９は、それぞれの予備光伝送路に同一波長となる光信号が送出される場合は、それぞれ異なる波長となるように波長変換を行うものである。
【００８７】
従って、図１３のタイプＣに示すパス切替方式に於いて、光クロスコネクト装置▲１▼から光クロスコネクト装置▲２▼側へは、波長λ３  を波長λ１  に変換して予備光伝送路に送出し、光クロスコネクト装置▲３▼側へは、波長λ１  ，λ２  をそのまま送出し、光クロスコネクト装置▲３▼に於いて、光クロスコネクト装置▲５▼側へは、波長λ２  を波長λ１  に変換して送出し、光クロスコネクト装置▲７▼側へは、波長λ１  をそのまま送出して、現用光伝送路の障害を救済することができる。
【００８８】
図２４及び図２５は本発明の第２の実施例の構成比較説明図であり、従来例のＷＰ網とＶＷＰ網とに対して、本発明によるＷＰ網とＶＷＰ網とに於けるルーチング部と、タイプＡ，Ｂ，Ｃのバイパス部との構成の比較を示すもので、（Ａ）は、波長数ｎと現用光伝送路の本数ｋ１と予備光伝送路の本数ｋ２とインタフェースリンクの本数ｋ３とコネクションリンクの本数ｋ４とバイパスリンクの本数ｋ５とによる光フィルタと波長変換器と２×２の光スイッチとのそれぞれの個数とを数式で比較して示す。
【００８９】
又（Ｂ）〜（Ｅ）は、数式の係数をそれぞれ変更した条件に於ける比較結果を示す。例えば、ｎ＝４，ｋ１＝４，ｋ２＝４，ｋ３＝２，ｋ４＝１，ｋ５＝１とした場合、（Ｂ）に示すように、従来例のＷＰ網と本発明のＷＰ網のタイプＢとを比較すると、光フィルタは、従来例では４０個必要とするが、本発明ではルーチング部の２８個とバイパス部の２４個との合計５２個となり、１２個多くなるが、光スイッチについては、従来例では４００個必要とするが、本発明では、ルーチング部とバイパス部との合計で２６０個となり、従来例に比較して６５％で済むことになる。
【００９０】
又ＶＷＰ網に於いては、従来例は光フィルタを４０個、波長変換器を４０個、光スイッチを１６００個必要とし、本発明のタイプＣに於いては、光フィルタは５２個、波長変換器は５２個、光スイッチは１０４０個となる。従って、従来例に比較して、光フィルタは１２個、波長変換器は１２個多くなるが、光スイッチは５６０個少なくなり、高価な光スイッチを６５％に削減できるので、経済化を図ることができる。
【００９１】
又（Ｃ）は、ｎ＝４，ｋ１＝８，ｋ２＝８，ｋ３＝４，ｋ４＝２，ｋ５＝２とした場合を示し、ＷＰ網に於いては、従来例と本発明のタイプＢとを比較すると、従来例は光フィルタを８０個、光スイッチを１６００個必要とし、本発明のタイプＢでは光フィルタを１０４個、光スイッチを１０４０個となり、光フィルタは２４個多くなるが、光スイッチは５６０個少なくて済むことになる。
【００９２】
又ＶＷＰ網に於いては、従来例は光フィルタを８０個、波長変換器を８０個、光スイッチを６４００個必要とし、本発明のタイプＣでは、光フィルタは１０４個、波長変換器は１０４個、光スイッチは４１６０個となり、光フィルタ及び波長変換器は、それぞれ２４個多くなるが、光スイッチは３１３６個少なくて済むことになる。
【００９３】
又（Ｄ）は、ｎ＝８，ｋ１＝８，ｋ２＝８，ｋ３＝４，ｋ４＝２，ｋ５＝２とした場合を示し、ＷＰ網に於いては、従来例と本発明のタイプＢとを比較すると、従来例は光フィルタを１６０個、光スイッチを３２００個必要とし、本発明のタイプＢでは光フィルタを２０８個、光スイッチを２０８０個となり、光フィルタは４８個多くなるが、光スイッチは１１２０個少なくて済むことになる。
【００９４】
又ＶＷＰ網に於いては、従来例は光フィルタを１６０個、波長変換器を１６０個、光スイッチを２５６００個必要とし、本発明のタイプＣでは、光フィルタは２０８個、波長変換器は２０８個、光スイッチは１６６４０個となり、光フィルタ及び波長変換器は、それぞれ４８個多くなるが、光スイッチは８９６０個少なくて済むことになる。
【００９５】
又（Ｅ）は、ｎ＝８，ｋ１＝１６，ｋ２＝１６，ｋ３＝８，ｋ４＝４，ｋ５＝４とした場合を示し、ＷＰ網に於いては、従来例と本発明のタイプＢとを比較すると、従来例は、光フィルタを３２０個、光スイッチを１２８００個必要とし、本発明のタイプＢでは、光フィルタを４１６個、光スイッチを８３２０個となり、光フィルタは９６個多くなるが、光スイッチは４４８０個少なくて済むことになる。
【００９６】
又ＶＷＰ網に於いては、従来例は光フィルタを３２０個、波長変換器を３２０個、光スイッチを１０２４００個必要とし、本発明のタイプＣでは、光フィルタは４１６個、波長変換器は４１６個、光スイッチは６６５６０個となり、光フィルタ及び波長変換器は、それぞれ９６個多くなるが、光スイッチは３５８４０個少なくて済むことになる。
【００９７】
前述のように、光フィルタや波長変換器の個数が増加するが、高価な光スイッチの個数を６５％に削減することが可能となり、光クロスコネクト装置としてのコストダウンを図ることができると共に、小型化を図ることができる。
【００９８】
本発明は、前述の各実施例にのみ限定されるものではなく、種々付加変更することができるものであり、又波長λ１  〜λｎ  対応に分離する光フィルタは、例えば、誘電体多層膜フィルタ，グレーティング型フィルタ，ファブリ・ペロー・フィルタ，音響光学フィルタ，半導体フィルタ等を用いることができる。
【００９９】
又波長変換器は、例えば、（ａ）半導体レーザをベースとした構成で注入電流を制御することにより、波長をチューニングできる構成、（ｂ）光電気変換器と可変波長半導体レーザの直接変調による電気光変換器とにより構成し、可変波長半導体レーザへの注入電流を制御して波長をチューニングできる構成、（ｃ）光電気変換器と可変波長半導体レーザとＬｉＮｂＯ３  光変調器とを用いた外部変調方式による波長変換器で、可変波長半導体レーザへの注入電流を制御して波長をチューニングする構成等を用いることができる。又光スイッチは、例えば、ＬｉＮｂＯ３  等の誘電体基板上に導波路と電極とを形成した構成や、ＧａＡｓ或いはＩｎＰ等の半導体素子による構成を用いることができる。
【０１００】
【発明の効果】
以上説明したように、本発明は、現用系伝送路を収容したルーチング部１と、予備系伝送路を収容したバイパス部２とによりクロスコネクト装置を構成し、ルーチング部１とバイパス部２とを第１，第２のリンクで接続したものであり、又光信号を伝送するネットワークに対しては、光クロスコネクト装置を構成し、現用系伝送路又は現用項伝送路の総てが同時に障害となるこは殆どないものであるから、第１，第２のリンク又はコネクタリンクｋ４の本数は、現用系伝送路又は現用光伝送路ｋ１の本数に比較して少なくすることが可能であり、従って、ルーチング部１とバイパス部２との構成を分離したことにより、従来例に比較して少ない部品数でクロスコネクト装置又は光クロスコネクト装置を構成することができ、経済化を図ることができる利点がある。
【０１０１】
又現用光伝送路ｋ１の障害発生に於ける救済手段としてのタイプＡ，Ｂ，Ｃに対応したバイパス部２の構成とすることにより、タイプＡは最も簡単な構成となる利点があり、又タイプＣは波長の空き選択が可能であるから、構成，制御が多少複雑となるが、救済率を高くすることができる利点がある。
【０１０２】
又バイパス部を少なくとも第１，第２の光空間スイッチ５４，５５により構成し、第１，第２の光空間スイッチ５４，５５間をバイパスリンクｋ５により接続し、第１の光空間スイッチ５４の出側とルーチング部５１の入側との間及び第２の光空間スイッチ５５の入側とルーチング部５１の出側との間をコネクションリンクｋ４により接続した構成としたことにより、従来例に比較して更に部品点数を少なくして、現用光伝送路の障害を救済することができる利点がある。
【図面の簡単な説明】
【図１】本発明の第１の実施例の説明図である。
【図２】バス切替方式の説明図である。
【図３】本発明の第１の実施例のルーチング部の説明図である。
【図４】本発明の第１の実施例の光空間スイッチによるバイパス部の説明図である。
【図５】本発明の第１の実施例の波長対応のパスを形成するバイパス部の説明図である。
【図６】本発明の第１の実施例の波長変換器を有するバイパス部の説明図である。
【図７】本発明の第１の実施例の現用光伝送路の障害発生時のルーチング部の説明図である。
【図８】本発明の第１の実施例のタイプＡのバイパス部の説明図である。
【図９】本発明の第１の実施例のタイプＢのバイパス部の説明図である。
【図１０】本発明の第１の実施例のタイプＣのバイパス部の説明図である。
【図１１】本発明の第１の実施例の構成比較説明図である。
【図１２】本発明の第２の実施例の説明図である。
【図１３】パス切替方式の説明図である。
【図１４】本発明の第２の実施例のＷＰ網の場合のルーチング部の説明図である。
【図１５】本発明の第２の実施例のＶＷＰ網の場合のルーチング部の説明図である。
【図１６】本発明の第２の実施例のタイプＡのバイパス部の説明図である。
【図１７】本発明の第２の実施例のタイプＢのバイパス部の説明図である。
【図１８】本発明の第２の実施例のタイプＣのバイパス部の説明図である。
【図１９】本発明の第２の実施例のＷＰ網のルーチング部のパス切替説明図である。
【図２０】本発明の第２の実施例のＶＷＰ網のルーチング部のパス切替説明図である。
【図２１】本発明の第２の実施例のタイプＡのバイパス部のパス切替説明図である。
【図２２】本発明の第２の実施例のタイプＢのバイパス部のパス切替説明図である。
【図２３】本発明の第２の実施例のタイプＣのバイパス部のパス切替説明図である。
【図２４】本発明の第２の実施例の構成比較説明図である。
【図２５】本発明の第２の実施例の構成比較説明図である。
【図２６】光ネットワークの説明図である。
【図２７】従来例の説明図である。
【図２８】従来例の光クロスコネクト装置の説明図である。
【符号の説明】
１  ルーチング部
２  バイパス部
３  電気クロスコネクト装置（ＥＸＣ）
ｋ１  現用光伝送路
ｋ２  予備光伝送路
ｋ３  インタフェースリンク
ｋ４  コネクションリンク
ＯＸＣ  光クロスコネクト装置
【図１】
0003582030.tif 000002
【図２】
0003582030.tif 000003
【図３】
0003582030.tif 000004
【図４】
0003582030.tif 000005
【図５】
0003582030.tif 000006
【図６】
0003582030.tif 000007
【図７】
0003582030.tif 000008
【図８】
0003582030.tif 000009
【図９】
0003582030.tif 000010
【図１０】
0003582030.tif 000011
【図１１】
0003582030.tif 000012
【図１２】
0003582030.tif 000013
【図１３】
0003582030.tif 000014
【図１４】
0003582030.tif 000015
【図１５】
0003582030.tif 000016
【図１６】
0003582030.tif 000017
【図１７】
0003582030.tif 000018
【図１８】
0003582030.tif 000019
【図１９】
0003582030.tif 000020
【図２０】
0003582030.tif 000021
【図２１】
0003582030.tif 000022
【図２２】
0003582030.tif 000023
【図２３】
0003582030.tif 000024
【図２４】
0003582030.tif 000025
【図２５】
0003582030.tif 000026
【図２６】
0003582030.tif 000027
【図２７】
0003582030.tif 000028
【図２８】
0003582030.tif 000029